(57)【要約】      （修正有）【課題】電流を安定させて直列の発光ダイオードに流すことで、直列の発光ダイオードの光度を一致させる発光ダイオード駆動装置を提供する。【解決手段】主に昇圧インダクタ１０及び電流バランスモジュール１６で構成する発光ダイオード駆動装置１は直流電源３及び二組の直列の発光ダイオード５と電気接続する。昇圧インダクタは直流電源と電気接続し、電流バランスモジュールは二つの電流バランスユニット１６０を含み、各電流バランスユニットはダイオード１６４、コンデンサー１６２及びバランスインダクタ１６６を含む。ダイオードの正極は昇圧インダクタの後端と電気接続し、負極はバランスインダクタと電気接続し、コンデンサーはダイオードと並列に接続し、バランスインダクタは一組の直列の発光ダイオードと電気接続し、バランスインダクタと対応して設置することで、通過する電流のバランスを保たせる。【選択図】図１
0003195014.tif 000002
【実用新案登録請求の範囲】
【請求項１】
発光ダイオード駆動装置は、
昇圧インダクタと電流バランスモジュールを含み、
一つの直流電源及び二組の直列の発光ダイオードと電気接続し、該発光ダイオード駆動装置に含まれるのは昇圧インダクタと電流バランスモジュールがあり、昇圧インダクタは直流電源と電気接続し、及び、
該電流バランスモジュールは二つの電流バランスユニットを含み、それぞれ直列の発光ダイオードと電気接続し、
各該電流バランスユニットに含まれるのは一つのダイオード、一つのコンデンサー及び一つのバランスインダクタであり、
該ダイオードは昇圧インダクタ及びバランスインダクタと電気接続し、該コンデンサーはダイオードと並列に接続し、
該バランスインダクタは該直列の発光ダイオードと電気接続し、該バランスインダクタと対応して設置することで、通過する電流のバランスを保たせることを特徴とする発光ダイオード駆動装置。
【請求項２】
前記発光ダイオード駆動装置は更に一つのコントローラー及び電力変換モジュール、調光スイッチ切替部品を含み、
該電力変換モジュールに含まれるのは昇圧スイッチ切替部品及び第一誘導抵抗器であり、該昇圧スイッチ切替部品はコントローラー、昇圧インダクタ及び電流バランスモジュールと電気接続し、該誘導抵抗器は昇圧スイッチ切替部品及び接地と電気接続し、及び、
該調光スイッチ切替部品は該直列の発光ダイオード及び該コントローラーと電気接続し、
該調光スイッチ切替部品は直列の発光ダイオードを通過する電流を検出するためのものであり、検出結果をコントローラーに送り、コントローラーは検出結果に基づき変調信号を出力して昇圧スイッチ切替部品の切替周波数をコントロールし、更に電力変換モジュールの出力する電力を調整することを特徴とする請求項１記載の発光ダイオード駆動装置。
【請求項３】
前記発光ダイオード駆動装置は更に一つの過電圧保護信号発生モジュールを含み、電流バランスモジュール、直列の発光ダイオード及びコントローラーと電気接続することを特徴とする請求項２記載の発光ダイオード駆動装置。
【請求項４】
前記過電圧保護信号発生モジュールは二つの過電圧保護信号発生装置を含み、
各過電圧保護信号発生装置は直列に第一抵抗器、第二抵抗器及びダイオードを接続し、該第一抵抗器は電流バランスモジュール及び該直列の発光ダイオードと電気接続し、該第二抵抗器は第一抵抗器及び該ダイオードの正極と電気接続し、該ダイオードの負極はコントローラーと電気接続することを特徴とする請求項３記載の発光ダイオード駆動装置。
【請求項５】
前記発光ダイオード駆動装置は更に一つの低電圧保護信号発生装置を含み、該直流電源、昇圧インダクタ及びコントローラーと電気接続することを特徴とする請求項２或いは請求項３或いは請求項４記載の発光ダイオード駆動装置。
【請求項６】
前記低電圧保護信号発生装置は直列に接続する第三抵抗器及び第四抵抗器によって構成し、該第三抵抗器は該直流電源と電気接続し、該第四抵抗器は第三抵抗器及びコントローラーと電気接続することを特徴とする請求項５記載の発光ダイオード駆動装置。
【請求項７】
前記発光ダイオード駆動装置は更に二つのフィルターコンデンサーを含み、それぞれ電流バランスユニット、直列の発光ダイオード及び該過電圧保護信号発生装置と電気接続することを特徴とする請求項６記載の発光ダイオード駆動装置。
【請求項８】
前記調光スイッチ切替部品は金属酸化物半導体電界効果トランジスタとし、調光スイッチ切替部品のドレインを直列の発光ダイオードと電気接続し、調光スイッチ切替部品のソースは第二誘導抵抗器を通じて接地し、調光スイッチ切替部品のゲートはコントローラーと電気接続することを特徴とする請求項７記載の発光ダイオード駆動装置。
【請求項９】
前記昇圧スイッチ切替部品は金属酸化物半導体電界効果トランジスタとし、昇圧スイッチ切替部品のドレインを昇圧インダクタ及び電流バランスモジュールと電気接続し、該昇圧スイッチ切替部品のゲートをコントローラーと電気接続し、昇圧スイッチ切替部品のソースをコントローラー及び第一誘導抵抗器と電気接続することを特徴とする請求項８記載の発光ダイオード駆動装置。
【考案の詳細な説明】
【技術分野】
【０００１】
本考案は一種の電子装置の駆動回路の構造に関し、特に発光ダイオードの駆動回路の構造の発光ダイオード駆動装置に関する。
【背景技術】
【０００２】
平面型表示装置、例えば液晶ディスプレイ装置は高画質、体積が小さく、軽いなどのメリットがあり、既に表示装置の主流となっている。
更に低消費電力の特徴を持つ今の平面型表示装置の多くは発光ダイオードを使い、液晶パネルの光源を提供している。
【０００３】
発光ダイオードは一種の電流駆動の低電圧の単一導電素子であり、加えて発光ダイオードの光通過量は、それに通る電流に従って変化するため、平面型表示装置は均等な光度で発光できるよう、直列或いは並列の発光ダイオードに安定した電流源を提供することで、一致した光度にする必要がある。
従来技術では、直列の発光ダイオードに安定した電流源を流す発光ダイオードの駆動回路は主に、各直列の発光ダイオードに一つの電流ミラーを直列で繋ぐことで、該回路構成は直列の発光ダイオードの数が増えるときに大きくなる。
よって、如何にして直列の発光ダイオードに流す電流を有効的に安定させ、且つ全ての直列の発光ダイオードに流す電流を一致させるための方法を早急に見つけることが重要であった。
【先行技術文献】
【特許文献】
【０００４】
【特許文献１】特開２０１１−１３５０４０公報
【考案の概要】
【考案が解決しようとする課題】
【０００５】
前記公知の発光ダイオード駆動装置の駆動回路の構造の欠点を解決するために、本考案は電流を安定させて直列の発光ダイオードに流すことで、直列の発光ダイオードの光度を一致させる発光ダイオード駆動装置を提供することを主な課題とする。
【課題を解決するための手段】
【０００６】
上述の目的を解決するために、本考案は駆動回路の構造に関する発光ダイオード駆動装置を提供するものである。
発光ダイオード駆動装置は直流電源及び二組の直列の発光ダイオードと電気接続する。
発光ダイオード駆動装置に含まれるのは昇圧インダクタ及び電流バランスモジュールである。
昇圧インダクタは直流電源と電気接続し、電流バランスモジュールは二つの電流バランスユニットを含み、各電流バランスユニットに含まれるのはダイオード、コンデンサー及びバランスインダクタである。
ダイオードの正極は昇圧インダクタの後端と電気接続し、負極はバランスインダクタと電気接続し、コンデンサーはダイオードと並列に接続し、該バランスインダクタは該直列の発光ダイオードと電気接続し、該バランスインダクタと対応して設置することで、通過する電流のバランスを保たせる。
【０００７】
発光ダイオード駆動装置は更にコントローラー、電力変換モジュール及び調光スイッチ切替部品を含む。
電力変換モジュールに含まれるのは昇圧スイッチ切替部品及び第一誘導抵抗器である。
昇圧スイッチ切替部品はコントローラー、昇圧インダクタ及び電流バランスモジュールと電気接続する。
第一誘導抵抗器は昇圧スイッチ切替部品及び接地と電気接続する。
調光スイッチ切替部品は直列の発光ダイオード及びコントローラーと電気接続し、且つ第二誘導抵抗器を通じて接地する。
【０００８】
調光スイッチ切替部品は例えば金属酸化物半導体電界効果トランジスタとすることができ、調光スイッチ切替部品のドレインを直列の発光ダイオードと電気接続し、調光スイッチ切替部品のソースは第二誘導抵抗器を通じて接地し、調光スイッチ切替部品のゲートはコントローラーと電気接続する。
調光スイッチ切替部品は直列の発光ダイオードを通過する電流を検出するためのものであり、検出結果をコントローラーに送る。
コントローラーは検出結果に基づき変調信号を出力して昇圧スイッチ切替部品の切替周波数をコントロールし、更に電力変換モジュールの出力する電力を調整する。
【０００９】
昇圧スイッチ切替部品は金属酸化物半導体電界効果トランジスタとし、昇圧スイッチ切替部品のドレインを昇圧インダクタ及び電流バランスモジュールと電気接続する。
昇圧スイッチ切替部品のゲートをコントローラーと電気接続し、昇圧スイッチ切替部品のソースをコントローラー及び第一誘導抵抗器と電気接続する。
昇圧スイッチ切替部品のゲートはコントローラーが出力するパルス幅変調信号を受信して切替周波数を変えることで、電力変換モジュールの出力する電力の電圧値を調整する。
【００１０】
発光ダイオード駆動装置は更に過電圧保護信号発生モジュール、低電圧保護信号発生装置及びフィルターコンデンサーを含む。
過電圧保護信号発生モジュールは電流バランスモジュール、直列の発光ダイオード及びコントローラーと電気接続する。
過電圧保護信号発生モジュールは二つの過電圧保護信号発生装置を含み、各過電圧保護モジュールは直列に第一抵抗器、第二抵抗器及びダイオードを接続する。
ダイオードの正極は第二抵抗器と電気接続し、ダイオードの負極はコントローラーと電気接続する。
過電圧保護信号発生モジュールは電流バランスモジュールから出力する電力の電圧値を検出するためのものであり、うちの一つの電流バランスユニットが出力する電力の電圧値が予定値より高い場合、コントローラーが設定した過電圧を保護する電圧値より高いと検出すると、コントローラーは昇圧スイッチ切替部品に信号を送るのを停止し、それによりコントローラーの動きをロックする。
【００１１】
低電圧保護信号発生装置は直流電源、昇圧インダクタ及びコントローラーと電気接続し、低電圧保護信号発生装置は直列に接続する第三抵抗器及び第四抵抗器によって構成する。
低電圧保護信号発生装置は直流電源が出力する電力の電圧値を検出するためのものであり、直流電源が出力する電力の電圧値が予定値より低い場合、コントローラーは昇圧スイッチ切替部品に信号を送るのを停止し、コントローラーの動きをロックする。
【００１２】
フィルターコンデンサーは電流バランスモジュール、直列の発光ダイオード及び過電圧保護発生装置と電気接続する。
フィルターコンデンサーは電流バランスユニットから出力するリップル電力をろ過することで、比較安定した電圧を直列の発光ダイオードに送る。
【００１３】
上記をまとめると、本考案の発光ダイオード駆動装置の電流バランスモジュールは二つの同じ数値の電流源(即ち定電流出力)を具有する。
電力変換モジュールは異なる電圧の変換比率の電圧出力を提供することで、一定電圧の出力(定電圧の出力)に達する。
こうすれば発光ダイオードが一致した光度の発光をすることができる。
【考案の効果】
【００１４】
本考案の発光ダイオード駆動装置により、電流バランスモジュールは二つの同じ数値の電流源(即ち定電流出力)を具有する。
電力変換モジュールは異なる電圧の変換比率の電圧出力を提供することで、一定電圧の出力(定電圧の出力)に達するため、発光ダイオードが一致した光度の発光をすることができる。
【図面の簡単な説明】
【００１５】
【図１】本考案の発光ダイオード駆動装置の回路図である。
【考案を実施するための形態】
【００１６】
以下、本考案の発光ダイオード駆動装置の構成の特徴および効果を、最良の実施例と図面を参照しながら詳細に説明する。
【実施例】
【００１７】
図１に示すのは、本考案の発光ダイオード駆動装置のブロック回路図である。
発光ダイオード駆動装置１は直流電源３及び二組の直列の発光ダイオード５と電気接続し、直列の発光ダイオード５を駆動して光度が一致する光線を発する。
直列の発光ダイオード５は複数の発光ダイオード５０を連結して構成する。
最良の実施例として、これらの直列の発光ダイオード５は相同の数の発光ダイオード５０を具有することである。
【００１８】
発光ダイオード駆動装置１に含まれるのは昇圧インダクタ１０、コントローラー１２、電力変換モジュール１４、電流バランスモジュール１６及び一つの調光スイッチ切替部品１８である。
昇圧インダクタ１０は直流電源３と電気接続し、電力変換モジュール１４は昇圧インダクタ１０と電気接続する。
電流バランスモジュール１６は電力変換モジュール１４及び直列の発光ダイオード５と電気接続して直列の発光ダイオード５に相同の電流を提供する。
調光スイッチ切替部品１８は直列の発光ダイオード５と電気接続し、コントローラー１２は調光スイッチ切替部品１８及び電力変換モジュール１４と電気接続する。
【００１９】
電力変換モジュール１４に含まれるのは昇圧スイッチ切替部品１４０及び第一誘導抵抗器１４２である。
昇圧スイッチ切替部品１４０は昇圧インダクタ１０、コントローラー１２及び電流バランスモジュール１６と電気接続する。
本実施例では昇圧スイッチ切替部品１４０を金属酸化物半導体電界効果トランジスタで例を挙げて説明し、実際実施する際にはこれによって制限されない。
昇圧スイッチ切替部品１４０のゲートをコントローラー１２と電気接続し、昇圧スイッチ切替部品１４０のドレインを昇圧インダクタ１０、コントローラー１２及び電流バランスモジュール１６と電気接続する。
昇圧スイッチ切替部品１４０のソースを第一誘導抵抗器１４２及びコントローラー１２と電気接続する。
第一誘導抵抗器１４２は昇圧スイッチ切替部品１４０の相対する一端の接地と接続する。
【００２０】
電流バランスモジュール１６に含まれるのは二組の電流バランスユニット１６０である。
各電流バランスユニット１６０は一組の直列の発光ダイオード５の正端(即ち直列の発光ダイオード５の正極)と電気接続する。
電流バランスユニット１６０に含まれるのはコンデンサー１６２、ダイオード１６４及びバランスインダクタ１６６である。
ダイオード１６４の正極は昇圧インダクタ１０及び電力変換モジュール１４と電気接続し、ダイオードの負極はバランスインダクタ１６６と電気接続することで、バランスインダクタ１６６と直列に接続する。
コンデンサー１６２はダイオード１６４の両端を跨ぐことで、ダイオードと並列に接続する。
【００２１】
調光スイッチ切替部品１８は例えば(それに制限せず)金属酸化物半導体電界効果トランジスタとし、調光スイッチ切替部品１８のドレインを直列の発光ダイオード５の負端(即ち直列の発光ダイオード５の陰極)と電気接続し、調光スイッチ切替部品１８のソースは第二誘導抵抗器Ｒ５を通じて接地し、調光スイッチ切替部品１８のゲートはコントローラー１２と電気接続する。
【００２２】
実際操作する際、直流電源３から出力する電力は昇圧インダクタ１０によって昇圧してから電力変換モジュール１４に送られる。
電力変換モジュール１４はコントローラー１２が出力するパルス幅変調信号に基づき、電流バランスモジュール１６に送りたい電力の切替周波数を変える。
電力変換モジュール１４の出力する電圧は、コントローラー１２を通って出力するパルス幅変調信号で昇圧スイッチ切替部品１４０をコントロールする。
電力は電流バランスモジュール１６を通じて発光ダイオード５０を駆動する。
電流バランスユニット１６０のダイオード１６４は電力変換モジュール１４が出力する電力の正周期のときに、電力をバランスインダクタ１６６に通し、バランスインダクタ１６６は異なる電圧の直列の発光ダイオード５の電流のバランスを取ることで、異なる直列の発光ダイオード５に流す電流が一致し、それにより発光ダイオード５０が同じ光度で発光するようになる。
コンデンサー１６２は異なる直列の発光ダイオード５の電圧差の磁気漏れと吸収を行う。
【００２３】
発光ダイオード駆動装置１は更に二つのフィルターコンデンサー２０を含む。
それぞれ電流バランスモジュール１６及び一組の直列の発光ダイオード５と電気接続する。
フィルターコンデンサー２０は電流バランスモジュール１６から出力するリップル電圧をろ過することで、比較的安定した電力を直列の発光ダイオード５に送る。
【００２４】
発光ダイオード駆動装置１は更に過電圧保護信号発生モジュール２２、低電圧保護信号発生装置２４及びフィルターコンデンサー２０を含む。
過電圧保護信号発生モジュール２２はそれぞれ電流バランスモジュール１６、コントローラー１２及び直列の発光ダイオード５と電気接続する。
過電圧保護信号発生モジュール２２は二つの過電圧保護信号発生装置２２０を含み、過電圧保護信号発生装置２２０は直列に第一抵抗器Ｒ１、第二抵抗器Ｒ２及びダイオードＤを接続する。
第一抵抗器Ｒ１はバランスインダクタ１６６、フィルターコンデンサー２０及び直列の発光ダイオード５と電気接続し、第二抵抗器Ｒ２の一端は第一抵抗器Ｒ１と電気接続し、ダイオードＤの正極は第二抵抗器Ｒ２の第一抵抗器Ｒ１と電気接続する相対端と電気接続し、ダイオードＤの負極はコントローラー１２と電気接続する。
【００２５】
過電圧保護信号発生モジュール２２は電流バランスモジュール１６から出力する電力の電圧値を検出するためのものであり、うちの一つの電流バランスユニット１６０が出力する電力の電圧値が予定値より高い場合、コントローラー１２は昇圧スイッチ切替部品１４０に信号を送るのを停止し、それによりコントローラー１２の動きをロックする。
【００２６】
低電圧保護信号発生装置２４は直流電源３、昇圧インダクタ１０及びコントローラー１２と電気接続し、低電圧保護信号発生装置２４は直列に接続する第三抵抗器Ｒ３及び第四抵抗器Ｒ４によって構成する。
第三抵抗器Ｒ３は直流電源３及び昇圧インダクタ１０と電気接続し、第四抵抗器Ｒ４の両端はそれぞれ第三抵抗器Ｒ３及びコントローラー１２と電気接続する。
低電圧保護信号発生装置２４は直流電源３が出力する電力の電圧値を検出するためのものであり、直流電源３が出力する電力の電圧値が予定値より低い場合、コントローラー１２は昇圧スイッチ切替部品１４０に信号を送るのを停止し、コントローラー１２の動きをロックする。
【００２７】
上記をまとめると、本考案の発光ダイオード駆動装置１の電流バランスモジュール１６は二つの同じ数値の電流源(即ち定電流出力)を具有する。
電力変換モジュール１４は異なる電圧の変換比率の電圧出力を提供することで、一定電圧の出力(定電圧の出力)に達する。
こうすれば発光ダイオード５０が一致した光度の発光をすることができる。
次に、本考案の発光ダイオード駆動装置１は同時に二組の直列の発光ダイオード５をコントロールすることができ、従来技術の電流ミラーを使って、異なる直列の発光ダイオード５を定電流に達するようにコントロールするのと比較すると、回路構成を具有し、簡単且つ体積が小さいメリットを持つ。
【００２８】
以上の実施例による本考案の詳細な説明は本考案の範囲を制限するものではない。  技術に熟知する者は、駆動回路の構造の変更などの適当な変更および調整を行うことができ、これらの変更および調整を行っても本考案の重要な意義は失われず、本考案の範囲に含まれる。
【符号の説明】
【００２９】
１  発光ダイオード駆動装置
１０  昇圧インダクタ
１２  コントローラー
１４  電力変換モジュール
１４０  昇圧スイッチ切替部品
１４２  第一誘導抵抗器
１６  電流バランスモジュール
１６０  電流バランスユニット  
１６２  コンデンサー
１６４、Ｄ  ダイオード
１６６  バランスインダクタ
１８  調光スイッチ切替部品
２０  フィルターコンデンサー
２２  過電圧保護信号発生モジュール
２２０  過電圧保護信号発生装置
２４  低電圧保護信号発生装置
３  直流電源
５  直列の発光ダイオード
５０  発光ダイオード
Ｒ１  第一抵抗器
Ｒ２  第二抵抗器
Ｒ３  第三抵抗器
Ｒ４  第四抵抗器
Ｒ５  第二誘導抵抗器
【図１】
0003195014.tif 000003
【手続補正書】
【提出日】平成26年10月16日(2014.10.16)
【手続補正１】
【補正対象書類名】実用新案登録請求の範囲
【補正対象項目名】全文
【補正方法】変更
【補正の内容】
【実用新案登録請求の範囲】
【請求項１】
発光ダイオード駆動装置は、
昇圧インダクタと電流バランスモジュールを含み、
一つの直流電源及び二組の直列の発光ダイオードと電気接続し、該発光ダイオード駆動装置に含まれるのは昇圧インダクタと電流バランスモジュールがあり、昇圧インダクタは直流電源と電気接続し、及び、
該電流バランスモジュールは二つの電流バランスユニットを含み、それぞれ直列の発光ダイオードと電気接続し、
各該電流バランスユニットに含まれるのは一つのダイオード、一つのコンデンサー及び一つのバランスインダクタであり、
該ダイオードは昇圧インダクタ及びバランスインダクタと電気接続し、該コンデンサーはダイオードと並列に接続し、
該バランスインダクタは該直列の発光ダイオードと電気接続し、該バランスインダクタと対応して設置することで、通過する電流のバランスを保たせることを特徴とする発光ダイオード駆動装置。
【請求項２】
前記発光ダイオード駆動装置は更に一つのコントローラー及び電力変換モジュール、調光スイッチ切替部品を含み、
該電力変換モジュールに含まれるのは昇圧スイッチ切替部品及び第一誘導抵抗器であり、該昇圧スイッチ切替部品はコントローラー、昇圧インダクタ及び電流バランスモジュールと電気接続し、該誘導抵抗器は昇圧スイッチ切替部品及び接地と電気接続し、及び、
該調光スイッチ切替部品は該直列の発光ダイオード及び該コントローラーと電気接続し、
該調光スイッチ切替部品は直列の発光ダイオードを通過する電流を検出するためのものであり、検出結果をコントローラーに送り、コントローラーは検出結果に基づき変調信号を出力して昇圧スイッチ切替部品の切替周波数をコントロールし、更に電力変換モジュールの出力する電力を調整することを特徴とする請求項１記載の発光ダイオード駆動装置。
【請求項３】
前記発光ダイオード駆動装置は更に一つの過電圧保護信号発生モジュールを含み、電流バランスモジュール、直列の発光ダイオード及びコントローラーと電気接続することを特徴とする請求項２記載の発光ダイオード駆動装置。
【請求項４】
前記過電圧保護信号発生モジュールは二つの過電圧保護信号発生装置を含み、
各過電圧保護信号発生装置は直列に第一抵抗器、第二抵抗器及びダイオードを接続し、該第一抵抗器は電流バランスモジュール及び該直列の発光ダイオードと電気接続し、該第二抵抗器は第一抵抗器及び該ダイオードの正極と電気接続し、該ダイオードの負極はコントローラーと電気接続することを特徴とする請求項３記載の発光ダイオード駆動装置。
【請求項５】
前記発光ダイオード駆動装置は更に一つの低電圧保護信号発生装置を含み、該直流電源、昇圧インダクタ及びコントローラーと電気接続することを特徴とする請求項２或いは請求項３或いは請求項４記載の発光ダイオード駆動装置。
【請求項６】
前記低電圧保護信号発生装置は直列に接続する第三抵抗器及び第四抵抗器によって構成し、該第三抵抗器は該直流電源と電気接続し、該第四抵抗器は第三抵抗器及びコントローラーと電気接続することを特徴とする請求項５記載の発光ダイオード駆動装置。
【請求項７】
前記発光ダイオード駆動装置は更に二つのフィルターコンデンサーを含み、それぞれ電流バランスユニット及び直列の発光ダイオードと電気接続することを特徴とする請求項６記載の発光ダイオード駆動装置。
【請求項８】
前記調光スイッチ切替部品は金属酸化物半導体電界効果トランジスタとし、調光スイッチ切替部品のドレインを直列の発光ダイオードと電気接続し、調光スイッチ切替部品のソースは第二誘導抵抗器を通じて接地し、調光スイッチ切替部品のゲートはコントローラーと電気接続することを特徴とする請求項７記載の発光ダイオード駆動装置。
【請求項９】
前記昇圧スイッチ切替部品は金属酸化物半導体電界効果トランジスタとし、昇圧スイッチ切替部品のドレインを昇圧インダクタ及び電流バランスモジュールと電気接続し、該昇圧スイッチ切替部品のゲートをコントローラーと電気接続し、昇圧スイッチ切替部品のソースをコントローラー及び第一誘導抵抗器と電気接続することを特徴とする請求項８記載の発光ダイオード駆動装置。